(57)【要約】【課題】電気自動車に搭載されて映像や音楽の再生に際して操作を簡略化して使い勝手を向上させることができる車載装置を提供すること。【解決手段】車載装置１００は、走行用モータ７０に電力を供給する二次電池７２が充電動作中であるか否かを判定する充電判定部３６と、映像および音楽の少なくとも一方を再生対象として再生動作を行う複数の再生ソースと、再生中の動作が中断されたときにこの中断箇所から再生を再開するために必要な再生中断情報を、中断時に充電動作中である場合と非充電動作中である場合について区別して記憶する中断箇所記憶部４２と、次回の再生動作開始時に、中断箇所記憶部４２に記憶された充電動作あるいは非充電動作に対応する再生中断情報に基づいて、対応する再生ソースに対して再生動作の再開を指示する再生ソース制御部３２とを備えている。【選択図】図１
2013004124.tif 000002
【特許請求の範囲】
【請求項１】
車両に搭載された走行用モータに電力を供給する二次電池に対して充電動作中であるか否かを判定する充電判定手段と、
映像および音楽の少なくとも一方を再生対象として再生動作を行う複数の再生ソースと、
前記充電判定手段による判定結果に基づいて、前記複数の再生ソースのいずれかにおいて再生中の動作が中断されたときに、この中断された再生箇所から再生を再開するために必要な再生中断情報を、中断時に充電動作中である場合と非充電動作中である場合について区別して記憶する中断箇所記憶手段と、
次回の再生動作開始時に、前記中断箇所記憶手段に記憶された充電動作あるいは非充電動作に対応する前記再生中断情報に基づいて、対応する前記再生ソースに対して再生動作の再開を指示する再生ソース制御手段と、
を備えることを特徴とする車載装置。
【請求項２】
請求項１において、
再生ソース制御手段は、再生動作再開時に、利用者からの選択指示に応じて、充電動作中および非充電動作中のそれぞれに対応して前記中断箇所記憶手段に記憶された２つの前記再生中断情報のいずれかを再生対象として選択することを特徴とする車載装置。
【請求項３】
請求項２において、
利用者からの選択指示に応じて２つの前記再生中断情報のいずれかが再生対象として選択されて前記再生ソースによる再生動作が再開された後に再度再生動作が中断されたときに、前記中断箇所記憶手段は、再生動作再開に用いられた前記再生中断情報を更新することを特徴とする車載装置。
【請求項４】
請求項１〜３のいずれかにおいて、
車両の利用者を識別する利用者識別手段をさらに備え、
前記中断箇所記憶手段は、利用者毎に前記再生中断情報を記憶し、
前記再生ソース制御手段は、利用者毎に前記再生ソースに対する再生動作の再開指示を行うことを特徴とする車載装置。
【請求項５】
請求項１〜４のいずれかにおいて、
車両には、駆動モータにより前後位置と背もたれ角度が移動可能なパワーシートと、前記パワーシートの前後位置と背もたれ角度を移動させるパワーシート駆動手段とが備わっており、
前記中断箇所記憶手段は、充電動作中に再生動作が中断されたときに、前記再生中断情報とともに前記パワーシートのその時点での前後位置と背もたれ角度を含むシート情報を記憶し、
前記再生ソース制御手段は、次回の充電動作時に再生動作の再開を指示する際に、前記パワーシート駆動手段に対して前記シート情報に対応する前後位置と背もたれ角度となるように前記パワーシートを駆動する指示を行うことを特徴とする車載装置。
【発明の詳細な説明】
【技術分野】
【０００１】
本発明は、車両に搭載されて映像や音楽の再生を行う車載装置に関する。
【背景技術】
【０００２】
従来から、映像や音楽のデータを再生するとともに、複数の利用者のそれぞれについて再生中断箇所を示すレジューム情報を記録し、利用者毎に中断した再生箇所から再生を継続して行うようにしたレジューム機能を有する情報再生装置が知られている（例えば、特許文献１参照。）。
【先行技術文献】
【特許文献】
【０００３】
【特許文献１】特開２００５−１２９０９３号公報（第３−１２頁、図１−９）
【発明の概要】
【発明が解決しようとする課題】
【０００４】
ところで、最近では電気自動車が実用化され、今後普及が進むと考えられる。このような電気自動車は、定期的に充電する必要があり、しかも排気ガスの排出がないことから、屋外ではなく屋内に駐車スペースを設けて帰宅後等に充電を行う使用形態が予想される。
【０００５】
一方、最近の車両に備わった音楽や映像を再生する車載装置は、高機能化、高品質化しており、屋内に設けられた駐車スペースに電気自動車を駐車させる場合を想定すると、室内に設けられた据え置き型のオーディオ装置等の代わりに、あるいは、併用した使い方が期待される。例えば、居間に設置されたディスプレイ装置で家族がテレビジョン放送の受信映像を見ているときに、自分は電気自動車に設置された車載装置を用いて映画等を見る場合が考えられる。
【０００６】
ところが、屋内に駐車中の場合のように車両の走行を想定しない場合（駐車時）と車両の走行を想定する場合（走行時）とが混在すると、特許文献１等に開示されたレジューム機能が有効に働かず、各種のコンテンツの再生を中断および再開する場合に操作が煩雑になる。例えば、駐車時にはディスク媒体等に記録された映像や配信された映像を再生することができるが、走行時には利用者が車両の運転者の場合にはこれらの再生によって表示される映像の視聴が制限されるため、駐車時に映像の再生中断箇所を記録しても、走行時にその再生中断箇所から映像の再生を継続して行うことはできず、再生対象となるソースを切り替える必要があるため、操作が煩雑になる。また、規制の有無に関係なく、運転中はラジオ放送を主に聴取する利用者が、駐車時は映画や放送された番組等の映像の視聴を主に行う場合などが考えられる。このように、従来は、電気自動車に映像や音楽の再生を行う車載装置が搭載された場合に駐車の有無や走行の有無を考慮した再生動作を行うことができなかったため、操作が煩雑になって使い勝手が悪いという問題があった。
【０００７】
本発明は、このような点に鑑みて創作されたものであり、その目的は、電気自動車に搭載されて映像や音楽の再生に際して操作を簡略化して使い勝手を向上させることができる車載装置を提供することにある。
【課題を解決するための手段】
【０００８】
上述した課題を解決するために、本発明の車載装置は、車両に搭載された走行用モータに電力を供給する二次電池に対して充電動作中であるか否かを判定する充電判定手段と、
映像および音楽の少なくとも一方を再生対象として再生動作を行う複数の再生ソースと、充電判定手段による判定結果に基づいて、複数の再生ソースのいずれかにおいて再生中の動作が中断されたときに、この中断された再生箇所から再生を再開するために必要な再生中断情報を、中断時に充電動作中である場合と非充電動作中である場合について区別して記憶する中断箇所記憶手段と、次回の再生動作開始時に、中断箇所記憶手段に記憶された充電動作あるいは非充電動作に対応する再生中断情報に基づいて、対応する再生ソースに対して再生動作の再開を指示する再生ソース制御手段とを備えている。
【０００９】
走行用モータで走行する車両（電気自動車）でいずれかの再生ソースで再生動作を行う場合に、充電動作の有無に対応させて別々に再生中断箇所を記憶するため、充電中（非走行時）と非充電中（走行時）とで別々に再生中断および再生再開を行うことが可能となり、異なる再生環境毎に、対象となる再生ソースを手動で切り替える手間が不要になり、操作を簡略化して使い勝手を向上させることができる。
【００１０】
また、上述した再生ソース制御手段は、再生動作再開時に、利用者からの選択指示に応じて、充電動作中および非充電動作中のそれぞれに対応して中断箇所記憶手段に記憶された２つの再生中断情報のいずれかを再生対象として選択することが望ましい。これにより、利用者の希望に応じて充電動作中と非充電動作中のいずれの中断箇所からも再生動作の継続が可能になり、利用者の意志を反映させて使い勝手をさらに向上させることができる。
【００１１】
また、利用者からの選択指示に応じて２つの再生中断情報のいずれかが再生対象として選択されて再生ソースによる再生動作が再開された後に再度再生動作が中断されたときに、中断箇所記憶手段は、再生動作再開に用いられた再生中断情報を更新することが望ましい。これにより、非充電動作時に記憶した再生中断情報に基づいて充電動作時に再生動作を再開した場合や、充電動作時に記憶した再生中断情報に基づいて非充電動作時に再生動作を再開した場合であっても、継続した再生動作に対応して再生中断情報を適切に更新することができる。
【００１２】
また、車両の利用者を識別する利用者識別手段をさらに備え、中断箇所記憶手段は、利用者毎に再生中断情報を記憶し、再生ソース制御手段は、利用者毎に再生ソースに対する再生動作の再開指示を行うことが望ましい。これにより、複数の利用者のそれぞれが、煩雑な操作を行うことなく中断箇所から再生を再開することが可能となる。
【００１３】
また、車両には、駆動モータにより前後位置と背もたれ角度が移動可能なパワーシートと、パワーシートの前後位置と背もたれ角度を移動させるパワーシート駆動手段とが備わっており、中断箇所記憶手段は、充電動作中に再生動作が中断されたときに、再生中断情報とともにパワーシートのその時点での前後位置と背もたれ角度を含むシート情報を記憶し、再生ソース制御手段は、次回の充電動作時に再生動作の再開を指示する際に、パワーシート駆動手段に対してシート情報に対応する前後位置と背もたれ角度となるようにパワーシートを駆動する指示を行うことが望ましい。これにより、充電動作中にいずれかの再生ソースによる再生を行う際に、特別な操作を行うことなく、パワーシートの前後位置等を前回と同じにすることができ、操作をさらに簡略化して使い勝手をさらに向上させることが可能となる。
【図面の簡単な説明】
【００１４】
【図１】一実施形態の車載装置の構成を示す図である。
【図２】自宅等の駐車スペースに車両を駐車させて充電動作中にいずれかの再生ソースによる再生動作を開始する場合の動作手順を示す流れ図である。
【図３】充電動作中以外にいずれかの再生ソースによる再生動作を開始する場合の動作手順を示す流れ図である。
【図４】自宅等の駐車スペースに車両を駐車させて充電動作中にいずれかの再生ソースによる再生動作を開始する場合の変形例の動作手順を示す流れ図である。
【図５】充電動作中以外にいずれかの再生ソースによる再生動作を開始する場合の変形例の動作手順を示す流れ図である。
【図６】自宅等の駐車スペースに車両を駐車させて充電動作中にいずれかの再生ソースによる再生動作を開始する場合の変形例の動作手順を示す流れ図である。
【図７】自宅等の駐車スペースに車両を駐車させて充電動作中にいずれかの再生ソースによる再生動作を開始する場合の変形例の動作手順を示す流れ図である。
【発明を実施するための形態】
【００１５】
以下、本発明を適用した一実施形態の車載装置について、図面を参照しながら説明する。
【００１６】
図１は、一実施形態の車載装置の構成を示す図である。図１に示すように、本実施形態の車載装置１００は、ディスクプレーヤ１２、ＴＶチューナ１４、ラジオチューナ１６、ハードディスク装置（ＨＤＤ）１８、ＳＤカードスロット２０、処理ユニット３０、操作部４０、中断箇所記憶部４２、音声出力回路５０、スピーカ５２、映像出力回路６０、表示装置６２を含んで構成されている。
【００１７】
ディスクプレーヤ１２は、ディスク型記録媒体としてのＤＶＤ、ＣＤに記録された音声や映像を再生する。なお、本明細書における「音声」には人や動物などの音声の他に、楽器が発生する音や、人工的に合成された音なども含まれる。また、ＤＶＤやＣＤは一例であって、ブルーレイディスク等のその他のディスク型記録媒体を再生対象としてもよい。
【００１８】
ＴＶチューナ１４は、地上波デジタル放送を受信し、配信された各番組に対応する映像や音声を再生する。なお、地上波デジタル放送は一例であって、アナログ放送が行われている地域ではアナログ放送を受信するようにしてもよい。ラジオチューナ１６は、ラジオ放送を受信し、配信された各番組に対応する音声を再生する。また、配信された番組が文字放送に対応している場合には、表示対象となる文字の表示処理が行われる。
【００１９】
ハードディスク装置１８は、再生対象となる圧縮音声データや圧縮映像データを格納する。ＳＤカードスロット２０は、圧縮音声データや圧縮映像データが格納されたＳＤカード（図示せず）が着脱可能であって、ＳＤカードが装着されたときに圧縮音声データや圧縮映像データの読み出しが可能となる。なお、一例としてＳＤカードが着脱可能な場合について説明したが、それ以外のメモリカードが用いられる場合にはこのメモリカードに対応したスロットに置き換えたり、併用するようにしてもよい。
【００２０】
これらの再生ソースとしてのディスクプレーヤ１２、ＴＶチューナ１４、ラジオチューナ１６、ハードディスク装置１８、ＳＤカードスロット２０のそれぞれが、操作部４０、中断箇所記憶部４２、音声出力回路５０、映像出力回路６０とともに処理ユニット３０に接続されている。処理ユニット３０は、再生対象となるいずれかの再生ソースを選択するとともに、選択した再生ソースに対応する音声情報を音声出力回路５０に向けて出力するとともに映像情報を映像出力回路６０に向けて出力する。なお、ＳＤカードスロット２０に装着されたＳＤカードやハードディスク装置１８からは圧縮音声データや圧縮映像データが読み出され、処理ユニット３０内のＡＶ再生処理部３４（後述する）においてこれらのデータに基づいて音声情報や映像情報が生成される。また、処理ユニット３０は、コンピュータとしての構成を有しており、ＲＯＭやＲＡＭに記憶された所定の動作プログラムをＣＰＵを用いて実行することにより実現される。
【００２１】
操作部４０は、利用者が各再生ソースの操作指示を行うとともに、再生対象となる再生ソースの選択指示などを行うためのものであり、各種のスイッチを備える。なお、表示装置６２の画面に装着されたタッチパネルを操作部４０として用い、画面に表示された操作ボタン等を利用者が指などで直接指し示して各種の操作指示や選択指示を行うようにしてもよい。
【００２２】
中断箇所記憶部４２は、いずれかの再生ソースにおける再生動作が中断されたときに、この中断された箇所から再生を再開するために必要な再生中断情報を再生中断時に記憶する。
【００２３】
音声出力回路５０は、処理ユニット３０から入力される音声情報に基づいて音声信号を生成し、車室内に設けられたスピーカ５２から出力する。映像出力回路６０は、処理ユニット３０から入力される映像情報に基づいて映像信号を生成し、車室内に設けられた表示装置６２の画面にこの映像信号に対応する映像（画像）を表示する。
【００２４】
ところで、上述した車載装置１００は、走行用モータ７０で走行する車両（電気自動車）に搭載されており、この走行用モータ７０に電力を供給する二次電池７２に対して充電中か否かに応じて車両の使用環境を判定し、異なる使用環境毎に別々に上述した再生中断情報を記憶し、継続的な再生動作を行うようになっている。このような動作を可能にするために、処理ユニット３０は、再生ソース制御部３２、ＡＶ再生処理部３４、充電判定部３６、利用者識別部３８を備えている。なお、上述した電気自動車には、走行用モータ７０のみで駆動される車両の他、プラグインハイブリッド自動車のように走行用モータ７０と他の動力（ガソリンエンジン等）を組み合わせる車両であってもよい。
【００２５】
再生ソース制御部３２は、利用者の選択指示に応じて再生対象となるいずれかの再生ソースを選択し、この選択した再生ソースの音声情報を音声出力回路５０に、映像情報を映像出力回路６０にそれぞれ入力する。
【００２６】
ＡＶ再生処理部３４は、再生対象として選択された再生ソースがハードディスク装置１８あるいはＳＤカードスロット２０（圧縮音声データや圧縮映像データが記録されたＳＤカードが装着されているものとする）の場合に、これらから読み出された圧縮音声データおよび圧縮映像データに対して伸張処理や復号化処理を行って音声情報や映像情報を生成する。再生ソース制御部３２によってハードディスク装置１８あるいはＳＤカードスロット２０が選択された場合には、これらに対応してＡＶ再生処理部３４において生成された音声情報や映像情報が音声出力回路５０や映像出力回路６０に向けて出力される。
【００２７】
充電判定部３６は、二次電池７２に対して充電動作中であるか否かを判定する。二次電池７２に対する充電制御は充電制御部７４によって行われており、充電判定部３６は、充電制御部７４から出力される充電動作の有無を示す充電信号に基づいてこの判定を行う。また、本実施形態では、車両が駐車中であることを充電動作中であるか否かを調べることにより判定するものであり、二次電池７２に対して実際に充電電流を流しているか否かを調べて判定を行う代わりに、充電器あるいは家庭用コンセントから延びた充電用ケーブルが車両の充電端子に接続されているか否かを調べ、充電用ケーブルが接続されている場合を充電動作中、充電用ケーブルが取り外された場合を非充電動作中として判定するようにしてもよい。むしろ、このように判定することが本発明の趣旨からは望ましいと考えられる。
【００２８】
利用者識別部３８は、いずれかの再生ソースを用いた再生動作を指示する利用者を識別する。最も簡単には、利用者がいずれかの再生ソースを用いた再生動作を指示する際に、操作部４０を用いて利用者毎に固有の識別情報を入力するものとし、利用者識別部３８は、入力された識別情報に基づいて利用者の識別を行う。なお、利用者識別の具体的な方法は、他の様々な方法を用いるようにしてもよい。例えば、音声認識や顔認識を用いる方法、ブルーツースやその他の無線を利用して各利用者が携帯する携帯端末やＩＣカードを識別する方法などが考えられる。
【００２９】
上述した充電判定部３６が充電判定手段に、中断箇所記憶部４２が中断箇所記憶手段に、再生ソース制御部３２が再生ソース制御手段に、利用者識別部３８が利用者識別手段にそれぞれ対応する。
【００３０】
本実施形態の車載装置１００はこのような構成を有しており、次に、中断箇所記憶部４２に記憶された再生中断情報に基づいて、前回の再生動作において中断した箇所から再生を継続する動作について説明する。
【００３１】
図２は、自宅等の駐車スペースに車両を駐車させて充電動作中にいずれかの再生ソースによる再生動作を開始する場合の動作手順を示す流れ図である。車両の走行用電源スイッチ（図示せず）がオフされた後、充電判定部３６は、充電が開始されたか否かを判定する（ステップ１００）。充電が開始されない場合には否定判断が行われ、この判定が繰り返される。また、充電が開始されるとステップ１００の判定において肯定判断が行われる。
【００３２】
次に、再生ソース制御部３２は、車載装置１００の電源スイッチがオンされたか否かを判定する（ステップ１０２）。なお、この電源スイッチは、利用者が車載装置１００を利用する際に操作するものであるが、この操作の前であっても上述したステップ１００、１０２の判定動作が行われる場合や、実際には電源スイッチが操作された際にステップ１００と１０２の判定動作が同時に行われる場合が考えられる。電源スイッチがオンされない場合にはステップ１０２の判定において否定判断が行われ、この判定が繰り返される。
【００３３】
また、電源スイッチがオンされるとステップ１０２の判定において肯定判断が行われる。次に、再生ソース制御部３２は、充電中再生中断情報が中断箇所記憶部４２に記憶されているか否かを判定する（ステップ１０４）。中断箇所記憶部４２に記憶される再生中断情報には２種類有り、一方が充電中再生中断情報であり、他方が非充電中再生中断情報である。充電中再生中断情報は、充電動作中にいずれかの再生ソースの再生動作が中断されたときに、次にその中断箇所から再生を継続するために必要な情報であり、再生動作を中断した再生ソースの種類と中断箇所が少なくとも含まれる。また、非充電中再生中断情報は、充電動作以外の非充電動作中にいずれかの再生ソースの再生動作が中断されたときに、次にその中断箇所から再生を継続するために必要な情報であり、再生動作を中断した再生ソースの種類と中断箇所が少なくとも含まれる。
【００３４】
充電中再生中断情報が中断箇所記憶部４２に記憶されていない場合にはステップ１０４の判定において否定判断が行われる。この場合には、次に、再生ソース制御部３２は、利用者による再生指示がなされたか否かを判定する（ステップ１０６）。再生指示がなされない場合には否定判断が行われ、この判定が繰り返される。また、利用者による再生指示、具体的には再生ソースを選択した後に再生開始が指示されるとステップ１０６の判定において肯定判断が行われる。次に、選択された再生ソースによって再生動作が開始される（ステップ１１０）。
【００３５】
一方、充電中再生中断情報が中断箇所記憶部４２に記憶されている場合にはステップ１０４の判定において肯定判断が行われる。この場合には、次に、再生ソース制御部３２は、充電中再生中断情報で特定される再生ソースを選択するとともに、この再生ソースに対して中断箇所からの再生を指示する（ステップ１０８）。指示を受けた再生ソースは、指定された中断箇所から再生動作を再開する（ステップ１１０）。
【００３６】
再生ソースによる再生動作中に、再生ソース制御部３２は、再生終了指示があったか否かを判定する（ステップ１１２）。例えば、車載装置１００の電源スイッチをオフすることにより、再生終了指示がなされるものとする。再生終了指示がない場合にはステップ１１２の判定において否定判断が行われ、ステップ１１０に戻って再生動作が継続される。また、再生終了指示がなされた場合にはステップ１１２の判定において肯定判断が行われる。次に、再生ソース制御部３２は、充電中再生中断情報の内容（その時点で再生動作を行っている再生ソースの種類と中断箇所）を更新し（ステップ１１４）、充電動作中における一連の再生動作が終了する。
【００３７】
図３は、充電動作中以外にいずれかの再生ソースによる再生動作を開始する場合の動作手順を示す流れ図である。充電が終了した後、車両の走行用電源スイッチ（図示せず）がオンされると、再生ソース制御部３２は、車載装置１００の電源スイッチがオンされたか否かを判定する（ステップ２０２）。電源スイッチがオンされない場合にはステップ２０２の判定において否定判断が行われ、この判定が繰り返される。
【００３８】
また、電源スイッチがオンされるとステップ２０２の判定において肯定判断が行われる。次に、再生ソース制御部３２は、非充電中再生中断情報が中断箇所記憶部４２に記憶されているか否かを判定する（ステップ２０４）。非充電中再生中断情報が中断箇所記憶部４２に記憶されていない場合にはステップ２０４の判定において否定判断が行われる。この場合には、次に、再生ソース制御部３２は、利用者による再生指示がなされたか否かを判定する（ステップ２０６）。再生指示がなされない場合には否定判断が行われ、この判定が繰り返される。また、利用者による再生指示、具体的には再生ソースを選択した後に再生開始が指示されるとステップ２０６の判定において肯定判断が行われる。次に、選択された再生ソースによって再生動作が開始される（ステップ２１０）。
【００３９】
一方、非充電中再生中断情報が中断箇所記憶部４２に記憶されている場合にはステップ２０４の判定において肯定判断が行われる。この場合には、次に、再生ソース制御部３２は、非充電中再生中断情報で特定される再生ソースを選択するとともに、この再生ソースに対して中断箇所からの再生を指示する（ステップ２０８）。指示を受けた再生ソースは、指定された中断箇所から再生動作を再開する（ステップ２１０）。
【００４０】
再生ソースによる再生動作中に、再生ソース制御部３２は、再生終了指示があったか否かを判定する（ステップ２１２）。例えば、車載装置１００の電源スイッチをオフすることにより、再生終了指示がなされるものとする。再生終了指示がない場合にはステップ２１２の判定において否定判断が行われ、ステップ２１０に戻って再生動作が継続される。また、再生終了指示がなされた場合にはステップ２１２の判定において肯定判断が行われる。次に、再生ソース制御部３２は、非充電中再生中断情報の内容（その時点で再生動作を行っている再生ソースの種類と中断箇所）を更新し（ステップ２１４）、充電動作中以外における一連の再生動作が終了する。
【００４１】
このように、本実施形態の車載装置１００では、走行用モータ７０で走行する車両（電気自動車）においていずれかの再生ソースで再生動作を行う場合に、充電動作の有無に対応させて別々に再生中断箇所（充電中再生中断情報／非充電中再生中断情報）を中断箇所記憶部４２に記憶するため、充電中（非走行時）と非充電中（走行時）とで別々に再生中断および再生再開を行うことが可能となり、異なる再生環境毎に、対象となる再生ソースを手動で切り替える手間が不要になり、操作を簡略化して使い勝手を向上させることができる。
【００４２】
図４は、自宅等の駐車スペースに車両を駐車させて充電動作中にいずれかの再生ソースによる再生動作を開始する場合の変形例の動作手順を示す流れ図である。
【００４３】
図４に示した動作手順は、図２に示した動作手順のステップ１０２と１０４の間にステップ１２０〜１３２を追加した点が異なっている。以下では、これらの追加された各ステップに着目して説明を行う。
【００４４】
電源スイッチがオンされてステップ１０２の判定において肯定判断が行われると、次に、再生ソース制御部３２は、非充電中再生中断情報が中断箇所記憶部４２に記憶されているか否かを判定する（ステップ１２０）。非充電中再生中断情報が中断箇所記憶部４２に記憶されていない場合には否定判断が行われ、ステップ１０４の充電中再生中断情報の有無判定に移行する。
【００４５】
一方、非充電中再生中断情報が中断箇所記憶部４２に記憶されている場合にはステップ１２０の判定において肯定判断が行われる。この場合には、次に、再生ソース制御部３２は、非充電動作中と充電動作中のどちらの再生動作を中断箇所から継続するかを利用者に選択させるための選択画面を作成し、表示装置６２に表示する（ステップ１２２）。その後、再生ソース制御部３２は、この選択画面を見た利用者によって非充電動作中の再生動作が選択されたか否かを判定する（ステップ１２４）。非充電動作中の再生動作が選択された場合にはこの判定で肯定判断が行われる。この場合には、次に、再生ソース制御部３２は、非充電中再生中断情報で特定される再生ソースを選択するとともに、この再生ソースに対して中断箇所からの再生を指示する（ステップ１２６）。指示を受けた再生ソースは、指定された中断箇所から再生動作を再開する（ステップ１２８）。
【００４６】
次に、再生ソースによる再生動作中に、再生ソース制御部３２は、再生終了指示があったか否かを判定する（ステップ１３０）。再生終了指示がない場合にはステップ１３０の判定において否定判断が行われ、ステップ１２８に戻って再生動作が継続される。また、再生終了指示がなされた場合にはステップ１３０の判定において肯定判断が行われる。次に、再生ソース制御部３２は、非充電中再生中断情報の内容（その時点で再生動作を行っている再生ソースの種類と中断箇所）を更新し（ステップ１３２）、充電動作中における一連の再生動作が終了する。
【００４７】
なお、ステップ１２２において作成された選択画面を見た利用者によって非充電動作中の再生動作が選択されてステップ１２４の判定において否定判断が行われた場合には、ステップ１０４の充電中再生中断情報の有無判定に移行する。
【００４８】
図５は、充電動作中以外にいずれかの再生ソースによる再生動作を開始する場合の変形例の動作手順を示す流れ図である。
【００４９】
図５に示した動作手順は、図３に示した動作手順のステップ２０２と２０４の間にステップ２２０〜２３２を追加した点が異なっている。以下では、これらの追加された各ステップに着目して説明を行う。
【００５０】
電源スイッチがオンされてステップ２０２の判定において肯定判断が行われると、次に、再生ソース制御部３２は、充電中再生中断情報が中断箇所記憶部４２に記憶されているか否かを判定する（ステップ２２０）。充電中再生中断情報が中断箇所記憶部４２に記憶されていない場合には否定判断が行われ、ステップ２０４の非充電中再生中断情報の有無判定に移行する。
【００５１】
一方、充電中再生中断情報が中断箇所記憶部４２に記憶されている場合にはステップ２２０の判定において肯定判断が行われる。この場合には、次に、再生ソース制御部３２は、非充電動作中と充電動作中のどちらの再生動作を中断箇所から継続するかを利用者に選択させるための選択画面を作成し、表示装置６２に表示する（ステップ２２２）。その後、再生ソース制御部３２は、この選択画面を見た利用者によって充電動作中の再生動作が選択されたか否かを判定する（ステップ２２４）。充電動作中の再生動作が選択された場合にはこの判定で肯定判断が行われる。この場合には、次に、再生ソース制御部３２は、充電中再生中断情報で特定される再生ソースを選択するとともに、この再生ソースに対して中断箇所からの再生を指示する（ステップ２２６）。指示を受けた再生ソースは、指定された中断箇所から再生動作を再開する（ステップ２２８）。
【００５２】
次に、再生ソースによる再生動作中に、再生ソース制御部３２は、再生終了指示があったか否かを判定する（ステップ２３０）。再生終了指示がない場合にはステップ２３０の判定において否定判断が行われ、ステップ２２８に戻って再生動作が継続される。また、再生終了指示がなされた場合にはステップ１３０の判定において肯定判断が行われる。次に、再生ソース制御部３２は、充電中再生中断情報の内容（その時点で再生動作を行っている再生ソースの種類と中断箇所）を更新し（ステップ２３２）、非充電動作中における一連の再生動作が終了する。
【００５３】
なお、ステップ２２２において作成された選択画面を見た利用者によって非充電動作中の再生動作が選択されてステップ２２４の判定において否定判断が行われた場合には、ステップ２０４の非充電中再生中断情報の有無判定に移行する。
【００５４】
このように、再生を行う際に、非充電動作中と充電動作中のどちらの再生動作を中断箇所から継続するかを利用者に選択させるための選択画面を表示して利用者に選択させることにより、利用者の希望に応じて充電動作中と非充電動作中のいずれの中断箇所からも再生動作の継続が可能になり、利用者の意志を反映させて使い勝手をさらに向上させることができる。
【００５５】
また、非充電動作時に記憶した再生中断情報に基づいて充電動作時に再生動作を再開した場合や、充電動作時に記憶した再生中断情報に基づいて非充電動作時に再生動作を再開した場合であっても、継続した再生動作に対応して再生中断情報を適切に更新することができる。
【００５６】
図６は、自宅等の駐車スペースに車両を駐車させて充電動作中にいずれかの再生ソースによる再生動作を開始する場合の変形例の動作手順を示す流れ図である。
【００５７】
図６に示した動作手順は、図２に示した動作手順に対して、ステップ１０４と１０８の間にステップ１０７を追加するとともに、ステップ１１４をステップ１１４Ａに置き換えた点が異なっている。以下では、これらの追加あるいは変更された各ステップに着目して説明を行う。
【００５８】
本実施形態の車両には、駆動モータにより前後位置と背もたれ角度が移動可能なパワーシート８０と、パワーシート８０の前後位置と背もたれ角度を駆動モータを駆動して移動させるパワーシート駆動部８２とが備わっている。自宅等の駐車スペースに駐車して充電中に映像を見たり音楽を聴いたりする場合には、運転時と異なる前後位置や背もたれ角度に設定する場合が多いと考えられる。したがって、充電中のパワーシート８０の姿勢を記憶しておいて、次に再生動作を継続する際にその姿勢を再現できれば便利である。上記の追加および変更は、これを実現するためのものである。この変形例では、中断箇所記憶部４２には、充電中再生中断情報とともに、再生中断時におけるパワーシート８０の前後位置と背もたれ角度を示すシート情報（これら以外に姿勢を決定する位置や角度がある場合にはそれらの位置や角度も含まれる）が記憶されている。パワーシート駆動部８２がパワーシート駆動手段に対応する。
【００５９】
ステップ１１４Ａでは、再生ソース制御部３２は、充電中再生中断情報の内容を更新する際に、同時に、パワーシート８０の前後位置と背もたれ角度を示すシート情報の内容を更新する。そして、次に充電中再生中断情報に基づいて再生動作を継続する動作に先立って、再生ソース制御部３２は、中断箇所記憶部４２に記憶されているシート情報を読み出し、パワーシート駆動部８２は、この読み出されたシート情報が示す前後位置および背もたれ角度となるようにパワーシート８０を駆動する（ステップ１０７）。
【００６０】
図７は、自宅等の駐車スペースに車両を駐車させて充電動作中にいずれかの再生ソースによる再生動作を開始する場合の変形例の動作手順を示す流れ図である。
【００６１】
図７に示した動作手順は、図４に示した動作手順に対して、ステップ１０４と１０８の間にステップ１０７を追加し、ステップ１１４をステップ１１４Ａに置き換えるとともに、ステップ１２４とステップ１２６の間にステップ１２５Ａ、１２５Ｂを追加し、ステップ１３２をステップ１３２Ａに置き換えた点が異なっている。ステップ１０７とステップ１１４Ａについては図６で説明した内容と同じであり、以下では、ステップ１２５Ａ、１２５Ｂ、１３２Ａに着目して説明を行う。
【００６２】
非充電動作中の再生動作が選択されてステップ１２４の判定で肯定判断が行われると、次に、再生ソース制御部３２は、中断箇所記憶部４２にシート情報が記憶されているか否かを判定する（ステップ１２５Ａ）。記憶されている場合には肯定判断が行われ、次に、再生ソース制御部３２は、中断箇所記憶部４２に記憶されているシート情報を読み出し、パワーシート駆動部８２は、この読み出されたシート情報が示す前後位置および背もたれ角度となるようにパワーシート８０を駆動する（ステップ１２５Ｂ）。また、ステップ１３２Ａでは、再生ソース制御部３２は、非充電中再生中断情報の内容を更新する際に、同時に、パワーシート８０の前後位置と背もたれ角度を示すシート情報の内容を更新する。
【００６３】
このように、パワーシート８０の姿勢を示すシート情報を記憶しておいて、充電動作中に再生動作を継続する際にそのシート情報を読み出すことにより、特別な操作を行うことなく、パワーシート８０の前後位置等を前回と同じにすることができ、操作をさらに簡略化して使い勝手をさらに向上させることが可能となる。
【００６４】
なお、本発明は上記実施形態に限定されるものではなく、本発明の要旨の範囲内において種々の変形実施が可能である。例えば、再生ソース制御部３２は、利用者識別部３８によって互いに識別された各利用者毎に再生ソースに対する再生動作の再開を指示するようにしてもよい。この場合には、中断箇所記憶部４２に、中断箇所情報（充電動作中中断箇所情報、非充電中中断箇所情報）やシート情報が、識別された各利用者毎に記憶される。そして、図２のステップ１０２の判定を行う際や、図３のステップ２０２の判定を行う際に、あるいはその前後に、利用者識別部３８による利用者識別を実施する。以後、各利用者に対応した中断箇所情報やシート情報を用いて各動作が実施される。これにより、複数の利用者のそれぞれが、煩雑な操作を行うことなく中断箇所から再生を再開したり、パワーシート８０を前回の再生時と同じにすることが可能となる。
【産業上の利用可能性】
【００６５】
上述したように、本発明によれば、走行用モータ７０で走行する車両（電気自動車）でいずれかの再生ソースで再生動作を行う場合に、充電動作の有無に対応させて別々に再生中断箇所を記憶するため、充電中（非走行時）と非充電中（走行時）とで別々に再生中断および再生再開を行うことが可能となり、異なる再生環境毎に、対象となる再生ソースを手動で切り替える手間が不要になり、操作を簡略化して使い勝手を向上させることができる。
【符号の説明】
【００６６】
１２  ディスクプレーヤ
１４  ＴＶチューナ
１６  ラジオチューナ
１８  ハードディスク装置（ＨＤＤ）
２０  ＳＤカードスロット
３０  処理ユニット
３２  再生ソース制御部
３４  ＡＶ再生処理部
３６  充電判定部
３８  利用者識別部
４０  操作部
４２  中断箇所記憶部
５０  音声出力回路
５２  スピーカ
６０  映像出力回路
６２  表示装置
７０  走行用モータ
７２  二次電池
７４  充電制御部
８０  パワーシート
８２  パワーシート駆動部
１００  車載装置
【図１】
2013004124.tif 000003
【図２】
2013004124.tif 000004
【図３】
2013004124.tif 000005
【図４】
2013004124.tif 000006
【図５】
2013004124.tif 000007
【図６】
2013004124.tif 000008
【図７】
2013004124.tif 000009